【手続補正書】
【提出日】平成23年9月22日(2011.9.22)
【手続補正１】
【補正対象書類名】特許請求の範囲
【補正対象項目名】全文
【補正方法】変更
【補正の内容】
【特許請求の範囲】
【請求項１】
印刷データを保持する携帯端末と、印刷装置とが通信可能な情報処理システムであって、
前記携帯端末は、
ユーザによる印刷要求の操作に基づいて取得された印刷データを保持する印刷データ保持手段と、
前記印刷装置と近距離通信可能な通信エリアに入ることにより、当該印刷装置との間でなされる通信に基づいて、当該印刷装置に対して、前記印刷データ保持手段が保持する印刷データを送信する印刷データ送信手段とを有し、
前記印刷装置は、
前記印刷データ送信手段により送信された印刷データを受信する印刷データ受信手段と、
前記印刷データ受信手段により受信された印刷データを、ユーザに印刷指示可能に前記印刷装置の操作部に表示する表示手段と、
前記携帯端末が近距離通信可能な通信エリアから出ることにより、当該携帯端末との間でなされる通信が不能となった場合、当該携帯端末から受信した印刷データを、前記操作部を介してユーザが印刷指示できないようにする制御を行う制御手段と
を有することを特徴とする情報処理システム。
【請求項２】
前記印刷装置は、
前記携帯端末が近距離通信可能な通信エリアから出ることにより、当該携帯端末との間でなされる通信が不能となった場合、当該携帯端末から受信した印刷データを削除する第一の削除手段を有することを特徴とする請求項１に記載の情報処理システム。
【請求項３】
前記第一の削除手段は、前記携帯端末が近距離通信可能な通信エリアから出ることにより、所定の時間間隔、当該携帯端末との間なされる通信が不能となった場合、当該携帯端末から受信した印刷データを削除することを特徴とする請求項１または２に記載の情報処理システム。
【請求項４】
前記印刷装置は、
ユーザからの前記印刷装置の操作部を介した印刷指示に従って、前記印刷データ受信手段により受信された印刷データに対して印刷処理を実行する印刷実行手段と、
前記印刷実行手段により印刷処理が実行された印刷データに対応する印刷データを前記印刷データ保持手段により保持する前記携帯端末に対して、当該印刷データを削除する指示をする削除指示手段とを有し、
前記携帯端末は、
前記削除指示手段によりなされた前記印刷データを削除する指示に従って、前記印刷データ保持手段により保持する削除の対象となる印刷データを削除する第二の削除手段を有することを特徴とする請求項１乃至３のいずれか１項に記載の情報処理システム。
【請求項５】
前記削除指示手段は、前記印刷実行手段により所定の回数印刷処理が実行された後、前記印刷データを削除する指示を行うことを特徴とする請求項４に記載の情報処理システム。
【請求項６】
前記印刷実行手段は、前記印刷データ受信手段により受信された印刷データに対して印刷処理を実行する前に、前記携帯端末に対して印刷確認の要求を行い、受け取った返信データを用いることで、当該携帯端末が他の印刷装置へログインしていると判定された場合、印刷処理を行わないことを特徴とする請求項４または５に記載の情報処理システム。
【請求項７】
前記携帯端末は、
前記印刷装置と近距離通信を行う第一の通信回線を介した通信を行うことで、当該印刷装置に対して、前記携帯端末を識別するためのアドレス情報を送信するアドレス情報送信手段を有し、
前記印刷装置は、
前記携帯端末と近距離通信を行う第一の通信回線を介した通信を行うことで、当該携帯端末から、当該携帯端末を識別するためのアドレス情報を受信するアドレス情報受信手段と、
前記アドレス情報受信手段により受信したアドレス情報を用いて、当該アドレス元携帯端末に対して、当該携帯端末に保持される前記印刷データの送信を要求する印刷データ要求手段とを有し、
前記印刷データ送信手段と、前記印刷データ受信手段とは、第二の通信回線を介して通信を行うことで前記印刷データの送受信を行うことを特徴とする請求項１乃至６のいずれか１項に記載の情報処理システム。
【請求項８】
前記第一の削除手段は、近距離通信を行う第一の通信回線を介した通信を行うことで、前記携帯端末から、当該携帯端末を識別するためのアドレス情報を受信することができない場合、前記印刷データ受信手段により当該携帯端末から受信した印刷データを削除することを特徴とする請求項７に記載の情報処理システム。
【請求項９】
前記印刷データ要求手段は、前記印刷データを未受信の場合、前記アドレス元携帯端末に対して、前記印刷データの送信を要求し、既に前記印刷データを受信している場合、前記アドレス元携帯端末に対して、前記印刷データの送信を要求しないことを特徴とする請求項７または８に記載の情報処理システム。
【請求項１０】
印刷データを保持する携帯端末と、印刷装置とが通信可能な情報処理システムにおける制御方法であって、
前記携帯端末は、
ユーザによる印刷要求の操作に基づいて取得された印刷データを保持する印刷データ保持ステップと、
前記印刷装置と近距離通信可能な通信エリアに入ることにより、当該印刷装置との間でなされる通信に基づいて、当該印刷装置に対して、前記印刷データ保持ステップが保持する印刷データを送信する印刷データ送信ステップとを有し、
前記印刷装置は、
前記印刷データ送信ステップにより送信された印刷データを受信する印刷データ受信ステップと、
前記印刷データ受信ステップにより受信された印刷データを、ユーザに印刷指示可能に前記印刷装置の操作部に表示する表示ステップと、
前記携帯端末が近距離通信可能な通信エリアから出ることにより、当該携帯端末との間でなされる通信が不能となった場合、当該携帯端末から受信した印刷データを、前記操作部を介してユーザが印刷指示できないようにする制御を行う制御ステップと
を有することを特徴とする制御方法。
【請求項１１】
印刷データを保持する携帯端末と、印刷装置とが通信可能な情報処理システムにおいて実行可能なプログラムであって、
前記携帯端末を、
ユーザによる印刷要求の操作に基づいて取得された印刷データを保持する印刷データ保持手段、
前記印刷装置と近距離通信可能な通信エリアに入ることにより、当該印刷装置との間でなされる通信に基づいて、当該印刷装置に対して、前記印刷データ保持手段が保持する印刷データを送信する印刷データ送信手段として機能させ、
前記印刷装置を、
前記印刷データ送信手段により送信された印刷データを受信する印刷データ受信手段、
前記印刷データ受信手段により受信された印刷データを、ユーザに印刷指示可能に前記印刷装置の操作部に表示する表示手段、
前記携帯端末が近距離通信可能な通信エリアから出ることにより、当該携帯端末との間でなされる通信が不能となった場合、当該携帯端末から受信した印刷データを、前記操作部を介してユーザが印刷指示できないようにする制御を行う制御手段
として機能させることを特徴とする情報処理システム。
【請求項１２】
請求項１１に記載のプログラムをコンピュータ読み取り可能に記憶した記憶媒体。
【請求項１３】
携帯端末から印刷データを受信する印刷データ受信手段と、受信された印刷データを、ユーザに印刷指示可能に操作部に表示する表示手段と、前記携帯端末が近距離通信可能な通信エリアから出ることにより、当該携帯端末との間でなされる通信が不能となった場合、当該携帯端末から受信した印刷データを、前記操作部を介してユーザが印刷指示できないようにする制御を行う制御手段とを有する印刷装置と通信可能な携帯端末であって、
ユーザによる印刷要求の操作に基づいて取得された印刷データを保持する印刷データ保持手段と、
前記印刷装置と近距離通信可能な通信エリアに入ることにより、当該印刷装置との間でなされる通信に基づいて、当該印刷装置に対して、前記印刷データ保持手段が保持する印刷データを送信する印刷データ送信手段と
を有することを特徴とする携帯端末。
【請求項１４】
ユーザによる印刷要求の操作に基づいて取得された印刷データを保持する印刷データ保持手段と、印刷装置と近距離通信可能な通信エリアに入ることにより、当該印刷装置との間でなされる通信に基づいて、当該印刷装置に対して、前記印刷データ保持手段が保持する印刷データを送信する印刷データ送信手段とを有する携帯端末と通信可能な印刷装置であって、
前記印刷データ送信手段により送信された印刷データを受信する印刷データ受信手段と、
前記印刷データ受信手段により受信された印刷データを、ユーザに印刷指示可能に前記印刷装置の操作部に表示する表示手段と、
前記携帯端末が近距離通信可能な通信エリアから出ることにより、当該携帯端末との間でなされる通信が不能となった場合、当該携帯端末から受信した印刷データを、前記操作部を介してユーザが印刷指示できないようにする制御を行う制御手段と
を有することを特徴とする印刷装置。
【手続補正２】
【補正対象書類名】明細書
【補正対象項目名】００１０
【補正方法】変更
【補正の内容】
【００１０】
本発明は、上記課題を解決するものであり、携帯端末が印刷装置へ近づいた場合、当該携帯端末から印刷装置へ印刷データを送信することで、印刷管理サーバを用いることなく、印刷装置での出力を可能とする。また、携帯端末が印刷装置と近距離通信可能な通信エリアにある間は印刷データの印刷処理を可能とする。
【手続補正３】
【補正対象書類名】明細書
【補正対象項目名】００１１
【補正方法】変更
【補正の内容】
【００１１】
本発明は、印刷データを保持する携帯端末と、印刷装置とが通信可能な情報処理システムであって、前記携帯端末は、ユーザによる印刷要求の操作に基づいて取得された印刷データを保持する印刷データ保持手段と、前記印刷装置と近距離通信可能な通信エリアに入ることにより、当該印刷装置との間でなされる通信に基づいて、当該印刷装置に対して、前記印刷データ保持手段が保持する印刷データを送信する印刷データ送信手段とを有し、
前記印刷装置は、前記印刷データ送信手段により送信された印刷データを受信する印刷データ受信手段と、前記印刷データ受信手段により受信された印刷データを、ユーザに印刷指示可能に前記印刷装置の操作部に表示する表示手段と、前記携帯端末が近距離通信可能な通信エリアから出ることにより、当該携帯端末との間でなされる通信が不能となった場合、当該携帯端末から受信した印刷データを、前記操作部を介してユーザが印刷指示できないようにする制御を行う制御手段とを有することを特徴とする。
【手続補正４】
【補正対象書類名】明細書
【補正対象項目名】００１２
【補正方法】変更
【補正の内容】
【００１２】
本発明により、携帯端末が印刷装置へ近づいた場合、当該携帯端末から印刷装置へ印刷データを送信することで、印刷管理サーバを用いることなく、印刷装置での出力が可能となる。また、携帯端末が印刷装置と近距離通信可能な通信エリアにある間は印刷データの印刷処理が可能となる。